(57)【要約】【課題】支柱部の構造を簡単にして操作性や収納性を向上するとともに、収納時の形態をコンパクトにできるようにした資料提示装置を提供する。【解決手段】支柱１３は基台３から立設させた直立部１３ａと、該直立部１３ａに連続させて形成した湾曲部１４と、該湾曲部１４の先端に基台３から離れる手前側に向かって突出する水平部１５とから構成したもので、関節部やヒンジ部を有しないから構造が簡単になり、操作性や収納性を向上する。また、支柱１３の直立部１３ａに回動部１２１を設け、支柱１３の水平部１５を基台３の上方で水平回動できるから、収納の際に基台３の手前側に突出する水平部１５及び撮像カメラヘッド１７を、基台３の上方に移動させることができるから、収納時の形態をコンパクトにすることができる。【選択図】図６
2008193391.tif 000002
【特許請求の範囲】
【請求項１】
基台と、
該基台から直立部を立設させるとともに、該直立部の先端部を湾曲させて、前記基台から離れる手前側に向かって突出する水平部を形成した支柱と、
該支柱の突出部の先端に取り付けた撮像カメラヘッドと、
前記支柱の直立部に回動部を設け、前記支柱の水平部を水平回動できるようにしたことを特徴とする資料提示装置。
【請求項２】
前記支柱の水平部の先端に、該水平部の突出方向と同軸の回動軸を設け、該回動軸により前記撮像カメラヘッドを回動自在に軸支したことを特徴とする請求項１に記載の資料提示装置。
【発明の詳細な説明】
【技術分野】
【０００１】
本発明は、ステージの載置面に載置した資料の撮像画像を、モニターやスクリーン等に表示させる資料提示装置に関するものである。
【背景技術】
【０００２】
従来の資料提示装置として特開平１０−１９１１０５号公報に、２個の支柱部材の端部に設けた関節部により連結して支柱を構成し、該支柱の先端にはカメラヘッドを回動自在に取り付けた画像入力装置が開示されている。この画像入力装置は、カメラヘッドが所定の定形サイズの原稿撮影に適した高さ位置になるように、各関節部を構成するヒンジ部に複数の指標が設けられている。そして、各ヒンジ部において同一の指標に合わせることで、カメラヘッドの高さを合わせることができるようにしたものである。
【０００３】
しかしながら、上記画像入力装置は、カメラヘッドの高さを合わせるために、複数個所のヒンジ部で指標を合わせる必要があり操作性がよくない。さらに、複数の関節部及びヒンジ部を有するため構造が複雑であり、収納作業も面倒となる等の問題点がある。
【特許文献１】特開平１０−１９１１０５号公報
【発明の開示】
【発明が解決しようとする課題】
【０００４】
本発明は上記問題点を解決するためになされたもので、支柱部の構造を簡単にして操作性や収納性を向上するとともに、収納時の形態をコンパクトにできるようにした資料提示装置を提供することである。
【課題を解決するための手段】
【０００５】
上記問題点を解決するための請求項１に記載の資料提示装置は、基台と、該基台から直立部を立設させるとともに、該直立部の先端部を湾曲させて、前記基台から離れる手前側に向かって突出する水平部を形成した支柱と、該支柱の水平部の先端に取り付けた撮像カメラヘッドと、前記支柱の直立部に回動部を設け、前記支柱の水平部を水平回動できるようにしたことを特徴とする。
【０００６】
また、請求項２に記載の資料提示装置は、請求項１に記載の構成において、前記支柱の水平部の先端に、該水平部の突出方向と同軸の回動軸を設け、該回動軸により前記撮像カメラヘッドを回動自在に軸支したことを特徴とする。
【発明の効果】
【０００７】
請求項１に記載の資料提示装置によれば、支柱は基台から立設させた直立部と、該直立部の先端部を湾曲させて、基台から離れる手前側に向かって突出する水平部とから構成したもので、関節部やヒンジ部を有しないから構造が簡単になり、操作性や収納性を向上する。また、支柱の直立部に回動部を設け、支柱の水平部を水平回動できるから、収納の際に基台の手前側に突出する水平部及び撮像カメラヘッドを、基台の上方に移動させることができるから、収納時の形態をコンパクトにすることができる。
【０００８】
請求項２に記載の資料提示装置によれば、支柱の水平部の先端に、該水平部の突出方向と同軸の回動軸を設け、該回動軸により撮像カメラヘッドを回動自在に軸支したから、収納の際に基台の手前側に突出する水平部及び撮像カメラヘッドを、基台の上方に移動させることができるとともに、撮像カメラヘッドの姿勢を基台に対して垂直な姿勢にできるから、収納時の形態をよりコンパクトにすることができる。
【実施例】
【０００９】
本発明の実施例について図面を参照して説明する。図１は、実施例に係る資料提示装置１の本体２とステージ１００を結合させた基本形態の斜視図である。本体２は、基台３、支柱１３及び撮像カメラヘッド１７とから構成されている。基台３は、平面形状が矩形で正面４と背面５には曲成面がそれぞれ形成されている。正面４の下縁の直角の隅角部に図１１に示すように、マグネット片６を貼付した位置決め部７が形成されている。
【００１０】
また、基台３の内部には、制御回路ユニット８と錘９が装着されている。錘９は後述するように支柱１３を前傾させたとき、基台３の背面５側が浮き上がるのを防止するものである。さらに、基台３の背面５には外部機器との電気的接続を確保するための各種の連結ソケット１０等が配設されている。基台３の正面４側の曲成面の略中央部には、支柱１３を傾動自在に支持する傾動部１１が支承されている。傾動部１１の上面には、回動軸支部１２を備えた支柱１３の回動部１２１が配設されている。該回動部１２１については後述する。
【００１１】
支柱１３は、中空であって内部にワイヤーハーネス（図示せず。）等を挿通出来るようになっている。支柱１３には直立部１３ａが形成され、その先端部に湾曲部１４が形成されている。該湾曲部１４の先端は、前記基台３の正面４から離れる方向に突出する水平部１５が形成されている。さらに該水平部１５の先端には連結部１５ａが取り付けられている。該連結部１５ａの先端に水平部１５の突出方向と同軸の中空の回動軸１６が形成されている。該回動軸１６には、撮像カメラヘッド１７が回動可能に取り付けられる。
【００１２】
図２〜図４に示すように前記傾動部１１は、アルミダイカスト製の本体部材２１と樹脂製のカバー部材２２を合着させたものである。そして、本体部材２１にカバー部材２２を合着させることにより、本体部材２１の上面に突出形成した支柱立設片２１ａとカバー部材の上面に突出形成した支柱立設片２２ａが合着して前記回動軸支部１２が構成される。
【００１３】
本体部材２１には、左側面に中空軸部２３が形成され、右側面に軸部２４とバネ掛けピン２５が形成されている。中空軸部２３は、先端部に雄ネジ２６が形成されている。該中空軸部２３は、スペーサ２７を嵌めて基台３の内部に固定したブラケット２８の軸支孔２９に挿通されている。中空軸部２３の軸支孔２９から突出する部分には、波ワッシャ３０と平ワッシャ３１を嵌めて、ナット３２により両者をブラケット２８に締め付けている。
【００１４】
一方、右側面の軸部２４には、スペーサ３３を嵌めて基台３の内部に固定したブラケット３４の軸支孔３５に挿通されている。また、バネ掛けピン２５は、ブラケット３４に軸支孔３５と同心に形成した円弧孔３６に挿通されている。さらに、軸部２４の軸端には捩りバネ３７を装着したバネ装着軸３８が固定されている。
【００１５】
捩りバネ３７の一端のフック３９は、バネ掛けピン２５に掛けられている。他端のフック４０は、ブラケット３４のバネ掛け部４１に掛けられている。この捩りバネ３７は、後述する支柱立設ホルダ１２４に立設される支柱１３が、前傾姿勢から起立する方向にトルクを付勢する。ブラケット３４には、バネ掛けピン２５が当接して支柱１３の起立姿勢を規制するストッパ４２が設けられている。
【００１６】
上記傾動部１１の上面の回動部１２１は、回動軸支部１２の内部にそれぞれ固定した軸受片１２２ａ，１２２ｂにより形成される軸受１２２、回動スリーブ１２３及び支柱立設ホルダ１２４とから構成される。支柱立設ホルダ１２４は、下面に回動軸１２５が一体成形されている。
【００１７】
軸受片１２２ａ，１２２ｂにより形成される軸受１２２は、合着して回動スリーブ１２３を回動自在に保持する。回動スリーブ１２３には、支柱立設ホルダ１２４の回動軸１２５が挿通され、両者が締着ネジ１２６により締着固定される。軸受片１２２ａ，１２２ｂの周部には、回動スリーブ１２３の外周に突出する締着ネジ１２６の頭部１２７の回動を許容する溝１２８ａ，１２８ｂが一体成形されている。そして、支柱立設ホルダ１２４には、支柱１３の直立部１３ａの下端部を挿入して、締着ネジ１２９により締着固定する。支柱１３は、支柱立設ホルダ１２４を締着した回動スリーブ１２３が、軸受１２２により回動自在に保持されるから、支柱立設ホルダ１２４とともに、直立部１３ａが回動して水平部１５が基台３の上方で水平回動する（図５，６参照）。
【００１８】
図７は撮像カメラヘッド１７の斜視図である。撮像カメラヘッド１７は、共に細長い回動軸支部５１とカメラヘッド部５２とから構成されている。回動軸支部５１は、上下二つ割の円筒状の合成樹脂製の筐体５３ａ，５３ｂで構成されている。また、カメラヘッド部５２も同様に上下二つ割の円筒状の合成樹脂製の筐体５４ａ，５４ｂから構成されている。
【００１９】
図８に示すように、回転軸支部５１の下側の筐体５３ｂの一端部の側面には、前記支柱１３の水平部１５の先端に取り付けた回動軸１６が挿し込まれている。該回動軸１６は、筐体５３ｂに設けた回動軸受５５にネジ止めする締着片５６により、該回動軸受５５に回動自在に軸支されている。上記のように回動軸受５５の部位を、回転軸支部５１の一端部に形成することにより、回動軸受５５からカメラヘッド部５２の他端部までの距離が、回動軸受５５から回転軸支部５１の一端部までの距離よりも長くなっている。また、筐体５３ｂには回動軸１６の回動角度を９０度に規制するストッパ（図示せず。）が設けられている。
【００２０】
さらに、筐体５３ｂと回動軸１６間には、９０度の回動毎に節度感を付与する節度機構（図示せず。）が形成されている。筐体５３ｂの基端側の側端には、中心にオートフォーカスボタン５７を組み込んだズームダイヤル５８が調整回転可能に取り付けられている。さらに、ズームダイヤル５８が取り付けられた側端とは反対側の側端には、連結軸支ブラケット５９が取り付けられている。
【００２１】
カメラヘッド部５２の下側の筐体５４ｂには、撮像カメラヘッド１７のカメラ制御回路ユニット６０が装着されている。そして、筐体５４ｂの先端部の下面からは、レンズ鏡筒６１が突出形成されている。筐体５４ｂの基端側の側端には、連結軸支ブラケット６２が取り付けられている。上記筐体５３ｂの連結軸支ブラケット５９と、筐体５４ｂの連結軸支ブラケット６２間には、中空の連結軸６３が挿通され軸支されている。この連結軸６３により、カメラヘッド部５２は回転軸支部５１に対して回動可能に連結される。
尚、撮像カメラヘッド１７は、図９に示すようにズームダイヤル５８に代えて、操作ノブ６４等にすることもできる。
【００２２】
前記基台３内に装着された制御回路ユニット８と、カメラ制御回路ユニット６０間及びオートフォーカスボタン５７を組み込んだズームダイヤル５８等の電気的接続を確保するワイヤーハーネス等は、傾動部１１の中空軸部２３、支柱１３、中空の回動軸１６及び連結軸６３を通して配線される。
【００２３】
上記構成の本体２は、図１に示す基本形態から図５に示すように支柱１３を９０度水平回動させた状態及び図６に示すように支柱１３を１８０度水平回動させるとともに、撮像カメラヘッド１７の回動軸支部５１を回動軸１６の回りで回動させて、水平姿勢から垂直姿勢に回動させた形態に変化させることができる。
【００２４】
また、傾動部１１を設けたことにより、図１０の支柱１３を前傾させた形態に変化させることができる。支柱１３を前傾させる際には、基台３の内部に装着されている錘９作用により、基台３の背面５側が浮き上がることがない。そして、傾動部１１には、波ワッシャ３０と平ワッシャ３１を介してナット３２により、ブラケット２６，３４間に該傾動部１１を締め付けることによりて制動力を作用させている。また、傾動部１１の軸部２４には、前傾した支柱１３が起き上がる方向のトルクが捩りバネ３７により付勢されている。
【００２５】
従って、撮像カメラヘッド１７を取りつけた支柱１３の回動モーメントと、ナット３２の締め付け力及び捩りバネ３７の付勢力とを調整して拮抗させることにより、支柱１３を任意の前傾角度で停止させることができるいわゆるフリーストップ機構とすることができる。さらに、支柱１３を前傾姿勢から起立姿勢に戻す際には、捩りバネ３７の付勢力のアシストにより、支柱１３を簡単に起立させることができる。
【００２６】
図１１は、上記本体２に連結して使用されるステージ１００の斜視図である。ステージ１００の上面には、資料の載置面１０１が形成されている。また、ステージ１００の前縁部には、基台３の位置決め部７に結合する被位置決め部材１０２が形成されている。被位置決め部材１０２は、直角の見当部１０３が形成されている。見当部１０３の一辺には、磁性片１０４が貼付されている（図１２参照）。
【００２７】
上記位置決め部７と被位置決め部材１０２は、マグネットの吸引力により結合する。このとき、基台３の直角の隅角部と見当部１０３が当接することにより、ステージ１００の載置面１０１が、上記本体２の基本形態の際の撮像カメラヘッド１７の撮像範囲内に対応して、載置面１０１の中心部と撮像カメラヘッド１７の中心部とが合致するように位置決めされる。
【００２８】
上記実施例に係る資料提示装置１によれば、支柱１３は基台３から立設させた直立部１３ａと、該直立部１３ａに連続させて形成した湾曲部１４と、該湾曲部１４の先端に基台３から離れる手前側に向かって突出する水平部１５とから構成したもので、関節部やヒンジ部を有しないから構造が簡単になり、操作性や収納性を向上する。また、支柱１３の直立部１３ａに回動部１２１を設け、支柱１３の水平部１５を基台３の上方で水平回動できるから、収納の際に基台３の手前側に突出する水平部１５及び撮像カメラヘッド１７を、基台３の上方に移動させることができるから、収納時の形態をコンパクトにすることができる。
【００２９】
また、支柱１３の水平部１５の先端に、該水平部１５の突出方向に回動軸１６を配置し、該回動軸１６により撮像カメラヘッド１７を回動自在に軸支したから、収納の際に基台３の手前側に突出する水平部１５及び撮像カメラヘッド１７を、基台３の上方に移動させることができるとともに、撮像カメラヘッド１７の姿勢を基台３に対して垂直な姿勢にできるから、収納時の形態をよりコンパクトにすることができる。その他、ステージ１００を使用しない場合には、支柱１３が回動できることにより撮像資料の大きさや表示画像の向き等に応じて、基台３の前面若しくは側面にセットでき使い勝手が向上できる。
【図面の簡単な説明】
【００３０】
【図１】実施例に係る資料提示装置の基本形態を示した斜視図である。
【図２】傾動部及び回動部の分解斜視図である。
【図３】傾動部及び回動部の断面図である。
【図４】傾動部及び回動部の斜視図である。
【図５】支柱の回動形態を示した斜視図である。
【図６】同じく支柱の回動形態を示した斜視図である。
【図７】撮像カメラヘッドの斜視図である。
【図８】撮像カメラヘッドの内部を示した斜視図である。
【図９】撮像カメラヘッドの他の形態を示した斜視図である。
【図１０】支柱の傾動形態を示した斜視図である。
【図１１】ステージを示した斜視図である。
【図１２】位置決め部と被位置決め部を示した要部の斜視図である。
【符号の説明】
【００３１】
１  資料提示装置
２  本体
３  基台
４  正面
１１  傾動部
１２  回動軸支部
１３  支柱
１３ａ  直立部
１４  湾曲部
１５  水平部
１６  回動軸
１７  撮像カメラ
１２１  回動部
１２２  軸受
１２３  回動スリーブ
１２４  支柱立設ホルダ
１２５  回動軸
【図１】
2008193391.tif 000003
【図２】
2008193391.tif 000004
【図３】
2008193391.tif 000005
【図４】
2008193391.tif 000006
【図５】
2008193391.tif 000007
【図６】
2008193391.tif 000008
【図７】
2008193391.tif 000009
【図８】
2008193391.tif 000010
【図９】
2008193391.tif 000011
【図１０】
2008193391.tif 000012
【図１１】
2008193391.tif 000013
【図１２】
2008193391.tif 000014